(57)【要約】【課題】　車両で利用者の近くまで出向いて行き、ボタン付け等の簡単な衣類の補修から、裾直しや袖直し等の衣類の直し作業やリフォーム作業、ワイシャツやブラウス等の衣類の仕立作業、ネクタイ等の小物製品の製作作業等を車内で行うことができる裁縫車の提供を目的とする。【解決手段】　車両２と、車両２の車内に設置固定されたミシン作業台４と、ミシン作業台４に載置されたミシン５と、車両２の車内のミシン作業台４と対向する位置に設置固定された作業台６と、を備えた構成を有している。【選択図】　図１
2004001766.tif 000002
【特許請求の範囲】
【請求項１】
　車両と、前記車両の車内に設置固定されたミシン作業台と、前記ミシン作業台に載置されたミシンと、前記ミシン作業台の近傍に設置固定された作業台と、前記ミシン作業台と前記作業台の間に配設固定された作業椅子とを備え、
　前記作業台が、前記ミシン作業台と対向する位置に設置固定されており、
　かつ前記作業台が、折り畳み自在な折り畳み天板を有し、該天板を折り畳んだ状態で該天板上面側にアイロン作業部が形成されるものであり、
　さらに前記作業台は、一辺側の固定脚部に対して水平方向にスライド自在に形成された他辺側の脚部を有し、当該他辺側の脚部は水平方向にスライド移動した位置において、折り畳み状態から広げた状態の前記天板裏面を支持し得るものであり、
　かつ前記他辺側の脚部の前記作業台に対する水平移動位置と収納位置との二位置において、当該他辺側の脚部を各々車両の床に固定し得る着脱自在の係止具を、前記二位置に対応する前記車両の床に設けたものであることを特徴とする裁縫車。
【請求項２】
　前記作業台における前記他辺側の脚部は前記作業椅子の配設位置とは反対方向にスライドし得るものであり、前記折り畳み天板は前記スライド移動した他辺側の脚部上に広げることができるように構成されたものであることを特徴とする請求項１記載の裁縫車。
【請求項３】
　前記ミシン作業台、前記作業椅子、及び前記作業台は、車両の車内の前方位置から後方位置に向けて直列的に配置固定されたものであることを特徴とする請求項１又は２記載の裁縫車。
【請求項４】
　前記ミシン作業台及び／又は前記作業台の下方に設置されアイロン道具や裁縫道具が収納される道具収納部を備えていることを特徴とする請求項１〜３の何れかに記載の裁縫車。
【請求項５】
　前記車両の車内に設置された製品収納部、預かり品収納部、裁縫用の人体、の内いずれか１以上を備えていることを特徴とする請求項１〜４の何れかに記載の裁縫車。
【請求項６】
　前記車両の車内に設置された製図道具収納部、生地収納部、事務用品収納部、の内いずれか１以上を備えていることを特徴とする請求項１〜５の何れかに記載の裁縫車。
【発明の詳細な説明】
【技術分野】
【０００１】
　本発明は、各地域に車で出張し、現地で衣類のボタン付けや裾直し，袖直し等の各種の衣類の直し作業や衣類のリフォーム作業、ワイシャツやブラウス等の衣類の仕立作業、ネクタイ等の小物製品の製作作業等を行うことができる裁縫車に関するものである。
【背景技術】
【０００２】
　従来から、洋服等の衣類の裾直しや袖直し等の直しや衣類のリフォーム、ワイシャツやブラウス等の仕立は、衣類の販売店やリフォーム専門店等で行われている。そのため、従来から利用者が衣類の販売店やリフォーム専門店等へ出向いて行き、衣類の直しやリフォーム、仕立を頼んでいる。
【０００３】
　また、車両の荷台に各種の作業道具を搭載して、移動先で各種の作業を実現し得るものが提案されている（特許文献１〜４）。また、収容箱付の椅子や回動自在の天板付の床下収納作業台が提案されている（特許文献５，６）。
【０００４】
【特許文献１】実開昭６０-２３０００号公報
【特許文献２】特開平７−２５１６７１号公報
【特許文献３】特開平８−１４２７４１号公報
【特許文献４】登録実用新案第３０５２２６３号公報
【特許文献５】実開平５−４１４５９号公報
【特許文献６】実開昭６２−２０３３４０号公報
【発明の開示】
【発明が解決しようとする課題】
【０００５】
　しかしながら、衣類の販売店やリフォーム店に衣類の直しやリフォーム、仕立を頼みに行くのは女性が多く、特に男性には行き難い場所である。
　また、外れたボタンを付けてもらうだけのために、わざわざこれらの店に行くことはなく、特に、裁縫道具を持たない単身者はボタンが外れた衣類をそのまま放置していることが多い。
　更に、古着のリフォームをする場合、古着をリフォーム店まで持って行く手間がかかるために、結局、リフォームできるものもリフォームせずに捨ててしまうことも多い。
　このため、ボタン付け等の簡単な衣類の補修でも頼み易いとともに、男性にも利用し易く、また、利用者が遠方の店まで行くことなくリフォーム等を頼むことができる、衣類の直しやリフォーム、仕立等の店が望まれている。
【０００６】
　本発明は前記従来の課題を解決するもので、車両で利用者の近くまで出向いて行き、ボタン付け等の簡単な衣類の補修から、裾直しや袖直し等の衣類の直し作業やリフォーム作業、ワイシャツやブラウス等の衣類の仕立作業、ネクタイ等の小物製品の製作作業等を車内で行うことができる裁縫車を提供することを目的とする。
【課題を解決するための手段】
【０００７】
　前記従来の課題を解決するために本発明における裁縫車は、以下の構成を有している。
　本発明の請求項１に記載の裁縫車は、車両と、前記車両の車内に設置固定されたミシン作業台と、前記ミシン作業台に載置されたミシンと、前記ミシン作業台の近傍に設置固定された作業台と、前記ミシン作業台と前記作業台の間に配設固定された作業椅子とを備え、前記作業台が、前記ミシン作業台と対向する位置に設置固定されており、かつ前記作業台が、折り畳み自在な折り畳み天板を有し、該天板を折り畳んだ状態で該天板上面側にアイロン作業部が形成されるものであり、さらに前記作業台は、一辺側の固定脚部に対して水平方向にスライド自在に形成された他辺側の脚部を有し、当該他辺側の脚部は水平方向にスライド移動した位置において、折り畳み状態から広げた状態の前記天板裏面を支持し得るものであり、かつ前記他辺側の脚部の前記作業台に対する水平移動位置と収納位置との二位置において、当該他辺側の脚部を各々車両の床に固定し得る着脱自在の係止具を、前記二位置に対応する前記車両の床に設けたものであることを特徴とする裁縫車により構成されるものである。
【０００８】
　本発明の請求項２に記載の裁縫車は、請求項１記載の発明において、前記作業台における前記他辺側の脚部は前記作業椅子の配設位置とは反対方向にスライドし得るものであり、前記折り畳み天板は前記スライド移動した他辺側の脚部上に広げることができるように構成されたものであることを特徴とする。
【０００９】
　本発明の請求項３に記載の裁縫車は、請求項１又は２記載の発明において、前記ミシン作業台、前記作業椅子、及び前記作業台は、車両の車内の前方位置から後方位置に向けて直列的に配置固定されたものであることを特徴とする。
【００１０】
　これにより、以下の作用を有する。
（１）車両の車内にミシン作業台やミシン，作業台を備えているので、車両で任意の場所へ移動して、車内で衣類の直し作業やリフォーム作業、仕立作業、小物製品の製作作業ができる。
（２）作業台だけでなくミシンが載置されたミシン作業台を有しているので、ミシンの載置場所が決まり、ミシンを動かすことなく常にミシンを使用することができ、作業性を向上できる。
（３）ミシン作業台や作業台が車両の車内に設置固定されているので、車両の移動時にミシン作業台や作業台が移動したり転倒したりするのを防止でき安全性を維持できるとともに、ミシン作業台や作業台の安定性を向上できる。
（４）作業椅子に座ったまま向きを変えるだけで、ミシン作業台や作業台のいずれでも作業をすることができ、作業性を向上できるとともに、１つの作業椅子だけでミシン作業台と作業台の２つの作業台での作業ができ、各作業台毎に作業椅子を要さず車内を有効的に使用することができる。
（５）作業椅子を車内に固定しているので、車両の移動時に作業椅子が転倒するのを防止でき安全性を向上できる。
（６）ミシン作業台と作業台が、対向する位置に設置されているので、作業者が作業に応じて立ち上がって車内を移動することなく、作業座部に座ったまま身体の向きを変えるだけで、ミシン作業台での縫製作業や作業台での各種作業をすることができる。
（７）折り畳み自在の天板を有した作業台を用いた場合、作業に応じて作業台の天板の広さを容易に変更することができ利便性や作業性を向上できるとともに、車内を有効的に使用することができる。
（８）作業台の天板にアイロン作業部を形成した場合、アイロン台を別に用意することなく作業台をアイロン作業台として使用することができ、限られた車内を有効的に使用することができるとともに、アイロン作業時にアイロンマットやアイロン台を準備することなくアイロン作業ができ、アイロン作業の作業性を向上できる。
れた車内を有効的に使用することができる。
【００１１】
　ここで、車両としては、ワゴン車やトラックタイプ，バン等のタイプの車両が利用できるが、中でもワゴン車タイプが好適に用いられる。これにより、ミシン作業台や作業台を車両の後部空間に載置し易いとともに、広い作業空間を得ることができる。
【００１２】
　ミシンは、ミシン作業台に螺子等により固定してもよい。これにより、車両の移動時にミシンが移動してミシン作業台からミシンが落下するのを防止でき安全性を向上できる。また、ミシン作業台に載置するミシンの他、作業台に載置して使用できる持ち運び可能なミシンを車両に備えてもよい。尚、ミシンとしては、一般に使用されているミシンの他、刺しゅうや穴かがり等の多種の機能を有した多機能ミシン，ロックミシン等、が用いられる。
【００１３】
　ミシン作業台や作業台は、車両の内壁面や床に螺着，嵌着，接着等により固定される。また、作業台は、ミシン作業台に隣接又は所定間隔をあけて車両内に設置される。
　ミシン作業台や作業台としては、車両の床に座って作業ができる高さのものや、椅子等に座って作業ができる高さのもの等、任意のものが用いられる。
　また、車両の床にレール部を形成し、ミシン作業台や作業台をレール部上に摺動自在に設置し、レール部の所定の位置でミシン作業台や作業台を固定手段により固定してもよい。これにより、ミシン作業台や作業台を車両の任意の位置に容易に移動することができ、ミシン作業台や作業台，車両内の使用性や利便性を向上できる。
【００１４】
　尚、ミシン作業台や作業台の脚部の下端部にレール部に当接する車輪を備えてもよく、また、ミシン作業台や作業台の脚部の下端部をレール部に係合してもよい。これにより、ミシン作業台や作業台をレール部上でスムーズに摺動させることができるとともに、脚部とレール部が外れたりミシン作業台や作業台が上下動するのを防止でき安全性を向上できる。
【００１５】
　また、レール部としては、レール部の頂部が車両の床面と略面一になるようにするのが好ましい。これにより、レール部が床面から突出せず、レール部につまづくのを防止でき車両内の安全性を維持できる。
【００１６】
　更に、ミシン作業台や作業台をレール部に固定する固定手段としては、レール部の長さ方向の所定部に複数形成された切欠部と、切欠部に嵌脱自在な止め板とを有し、切欠部に止め板を嵌合してミシン作業台や作業台の脚部と止め板を当接させてミシン作業台や作業台をレール部の任意の位置で固定するものや、ミシン作業台や作業台の脚部の下端部にレール部の長さ方向と直角に貫通孔部を形成するとともに、レール部の長さ方向と直角にレール部の側面を貫通した挿通孔部をレール部の長さ方向の所定部に複数形成し、貫通孔部と挿通孔部に棒状の固定ピンを挿通してミシン作業台や作業台をレール部の任意の位置で固定するもの等、種々のものが用いられる。固定ピンとしては、一端部に貫通孔部や挿通孔部より大きく形成された頭部を有し、他端部に屈曲自在な止め部を有したもの等が用いられる。この場合、固定ピンを貫通孔部と挿通孔部に挿通した後、止め部を屈曲させることにより固定ピンが貫通孔部や挿通孔部から抜けるのを防止できる。
【００１７】
　ここで、作業椅子は、螺子等により車両の床に固定される。作業椅子としては、座部又は作業椅子本体が回動自在に形成されたものが好適に用いられる。これにより、作業椅子に座ったまま容易に方向を変えることができる。また、座部の下部に収納部を有し座部が開閉自在若しくは着脱自在に形成されたものや、座部の下部に引き出し式の収納部を有したものを用いてもよい。これにより、作業椅子の下部のデッドスペースに収納部ができるため、各種の小物を収納することができ、車内の狭い空間を有効に使用することができる。特に、座部が開閉自在又は着脱自在に形成されている場合、引き出し式の収納部のように収納部の引き出しスペースを要さず狭い空間でも収納部の開け閉めが容易にできる。
【００１８】
　ここで、天板を有した作業台としては、天板の表面側に折り畳み自在に形成された折り畳み天板を有した折り畳み式作業台や、回動自在に天板に延設され作業台の側面側に垂設されている延長用天板を有したバタフライ式作業台、着脱自在に配設される補助用天板を有した伸縮式作業台等が用いられる。
　折り畳み式作業台としては、例えば、車両の床又は内壁面に固定された一辺側の脚部と、水平方向にスライド自在に形成され一辺側の脚部と対向する他辺側の脚部と、脚部の上部に配設支持された天板と、一辺側が天板に接続され天板の表面側に折り畳み自在に形成された折り畳み天板と、を有したものや、車両の床に固定された脚部と、水平方向にスライド自在に形成されたスライド脚部と、脚部の上部に配設支持された天板と、天板に接続されスライド脚部の上部に配設支持される天板の表面側に折り畳み自在な折り畳み天板と、を有したもの、また、スライド脚部の代わりに天板の下方にスライド自在に配設され天板の側面側に突出させた際に折り畳み天板を支持できるスライド支持部を備えたもの等各種の天板の支持部が用いられる。
【００１９】
　バタフライ式作業台としては、例えば、車両の床又は内側面に固定された一辺側の脚部と、水平方向にスライド自在に形成され一辺側の脚部と対向する他辺側の脚部と、脚部の上部に配設支持された天板と、回動自在に天板に延設され他辺側の脚部を一辺側の脚部から離れる方向にスライドさせた際に他辺側の脚部で支持される延長用天板と、を有したものや、車両の床に固定された脚部と、作業台の側面又は脚部に出入自在又は回動自在に形成された支持部と、脚部の上部に配設支持された天板と、回動自在に天板に延設され支持部で支持される延長用天板と、を有したもの等が用いられる。
【００２０】
　伸縮式作業台としては、例えば、車両の床又は内側面に固定された一辺側の脚部と、水平方向にスライド自在に形成され一辺側の脚部と対向する他辺側の脚部と、脚部の上部に配設支持され略中央部で分割自在に形成された天板と、他辺側の脚部をスライドした際に天板の略中央部に形成される開口部と、開口部に着脱自在に配設される補助用天板と、を有したもの等が用いられる。
【００２１】
　尚、脚部を車両の床や内壁面に固定する代わりに、天板の一辺を車両の内壁面に固定してもよい。
　また、スライド自在な脚部としては、車両の床に嵌合，車両の床にラッチ等で係止，する等して脚部を車両に固定するのが好ましい。これにより、車両の移動時に脚部が移動するのを防止でき、安全性を向上できる。
　更に、車両の床にレール部を形成し、スライド自在な脚部の下端部をレール部に係合しレール部に沿って移動（スライド）させてもよい。これにより、脚部をスムーズに移動することができる。尚、レール部としては、レール部の頂部が車両の床面と略面一になるようにするのが好ましい。これにより、レール部が床面から突出せず、レール部につまづくのを防止でき車両内の安全性を維持できる。
【００２２】
　また、レール部の所定の位置で脚部をレール部に固定できる固定手段を備えるのが好ましい。これにより、脚部の下端部をレール部で保持することができるとともに、固定手段で脚部をレール部に固定できるので、車両の移動時に脚部が移動するのを確実に防止でき安全性を向上できる。固定手段としては、レール部の長さ方向の所定部に複数形成された切欠部と、切欠部に嵌脱自在な止め板とを有し、切欠部に止め板を嵌合しスライド自在な脚部を止め板に当接させて脚部のスライドを止めてレール部の任意の位置で固定するものや、スライド自在な脚部の下端部にレール部の長さ方向と直角に貫通孔部を形成するとともに、レール部の長さ方向と直角にレール部の側面を貫通した挿通孔部をレール部の長さ方向の所定部に複数形成し、貫通孔部と挿通孔部に棒状の固定ピンを挿通してスライド自在な脚部をレール部の任意の位置で固定するもの等、種々のものが用いられる。尚、固定ピンとしては、一端部に貫通孔部や挿通孔部より大きく形成された頭部を有し、他端部に屈曲自在な止め部を有したもの等が用いられる。この場合、固定ピンを貫通孔部と挿通孔部に挿通した後、止め部を屈曲させることにより固定ピンが貫通孔部や挿通孔部から抜けるのを防止できる。
【００２３】
　アイロン作業部としては、天板にアイロンマットを貼着したもの等が用いられる。
　また、天板として、脚部から着脱自在に形成されたものや、一部分が天板の表面側に折り畳み自在に形成されたもの等、天板の裏面側を容易に上方へ向けることができるものを用いた場合、天板の裏面にアイロン作業部を形成してもよく、特に、折り畳み自在な天板の場合、折り畳まれる部分の裏面にアイロン作業部を形成してもよい。これにより、天板を裏返すだけで、作業台をアイロン作業台として使用することができるとともに、作業台の天板の裏面側も有効に利用することができる。
【００２４】
また、請求項４記載の裁縫車は、請求項１〜３の何れかに記載の発明において、前記ミシン作業台及び／又は前記作業台の下方に設置されアイロン道具や裁縫道具が収納される道具収納部を備えていることを特徴とする。
【００２５】
　これにより、請求項１〜３の内いずれかの作用に加えて、以下の作用を有する。
（１）ミシン作業台や作業台の下方にアイロン道具や裁縫道具を収納する道具収納部を備えているので、各作業台の下方のスペースを有効利用することができ、限られた車内にアイロン道具や裁縫道具の多くの道具を収納することができる。
（２）作業をする各作業台の下方に道具収納部を有しているので、作業時に必要な道具をすぐに取ることができ、使用性や利便性を向上できる。
【００２６】
　ここで、道具収納部としては、大小種々の大きさの引き出しからなる引き出し式のものや前面が開口した棚式のもの、棚式のものの前面に扉や引き戸等を有したもの等、が用いられ、ミシン作業台や作業台又は車両の床に固定される。また、引き出し式のものを用いる場合、引き出しにロック機能を付けてもよい。これにより、車両の移動中に引き出しが自然に開くのを防止できる。
　尚、アイロン道具としては、アイロン，霧吹き，仕上げまんじゅう，アイロンマット等があり、また、裁縫道具としては、鋏，糸，針，物差し，メジャー，チョークペンシル，ボタン，スナップ，ファスナー等種々のものがある。
【００２７】
　本発明の請求項５に記載の裁縫車は、請求項１〜４の内いずれか１項に記載の発明において、前記車両の車内に設置された製品収納部、預かり品収納部、裁縫用の人体、の内いずれか１以上を備えた構成を有している。
【００２８】
　これにより、請求項１〜４の内いずれかの作用に加えて、以下の作用を有する。
（１）製品収納部に直し作業やリフォーム作業、仕立作業、製作作業等の終わった衣類や小物製品等の製品を収納することができ、製品を汚したり、製品に皺を付けたりすることなく保管することができる。
（２）預かり品収納部に預かった品物を収納することができ、預かり品の紛失等を防止することができるとともに、預かり品収納部を見るだけで預かり品の有無や量を確認することができる。
（３）製品収納部と預かり品収納部を備えた場合、製品と預かり品の収納場所が異なるので、製品と預かり品を混同することなく作業性を向上できる。
（４）裁縫用の人体を備えた場合、衣類のリフォーム作業や仕立作業等の作業性を向上できる。
【００２９】
　ここで、製品収納部や預かり品収納部としては、車両の天井に吊設若しくは車両の内壁面間に配設固定された棒状のハンガー掛けや、車両の天井に吊設若しくは車両の内壁面に配設固定された格子パネル等からなる格子状のハンガー掛け、車両の床や車両の内壁面に固定された引き出し式のもの、前面が開口した棚式のもの等が用いられる。また、引き出し式のものを用いる場合、引き出しにロック機能を付けてもよい。これにより、車両の移動中に引き出しが自然に開くのを防止できる。
　尚、ハンガー掛けや棚式の収納部の前面に左右方向又は上下方向等に開閉自在なカーテンや扉を形成してもよい。これにより、預かり品や製品の目隠しができるとともに、預かり品や製品が埃等で汚れるのを防止できる。
　更に、引き出し式や棚式で形成された製品収納部や預かり品収納部の上部を、小物製品等を陳列する陳列棚として使用してもよい。これにより、限られた車内を有効的に利用することができる。
　裁縫用の人体としては、車内に螺子等で着脱自在に配設固定するのが好ましい。これにより、車両の移動時に人体が転倒するのを防止でき安全性を向上できるとともに、使用時に任意の場所へ移動して使用することができ使用性を向上できる。
【００３０】
　本発明の請求項６に記載の裁縫車は、請求項１乃至５の内いずれか１項に記載の発明において、前記車両の車内に設置された製図道具収納部、生地収納部、事務用品収納部、の内いずれか１以上を備えた構成を有している。
【００３１】
　これにより、請求項１乃至５の内いずれかの作用に加えて、以下の作用を有する。
（１）製図道具収納部や生地収納部，事務用品収納部の各収納部を備えることにより、製図道具や生地，事務用品を各々決められた場所に収納することができ、車内が煩雑になるのを防止できる。
【００３２】
　ここで、製図道具収納部や生地収納部としては、大小種々の大きさの引き出しを有したものや、天板が上方向に開閉できるもの、仕切り板で複数の室に仕切られ製図用紙や生地を立てて収納できる筒状部を有したもの等が用いられ、車両の床や内壁面に固定される。
　事務用品収納部としては、大小種々の大きさの引き出しを有したもの等が用いられ、車両の床や内壁面に固定，若しくは車両の天井から吊設される。
　また、引き出しとしては、ロック機能付きのものを用いてもよい。これにより、車両の移動中に引き出しが自然に開くのを防止できる。
　尚、製図道具としては、製図用紙や鋏，鉛筆，物差し等があり、事務用品としては、伝票や鉛筆，電卓等がある。
【発明の効果】
【００３３】
　以上のように本発明における裁縫車によれば、以下の優れた効果を実現できる。
【００３４】
　請求項１〜３に記載の発明によれば、
（１）車両の車内にミシン作業台やミシン，作業台を備えているので、車内で衣類の直し作業やリフォーム作業、仕立作業、小物製品の製作作業ができ、車両で任意の場所へ移動し、利用者の近くまで出向いて行き各種作業のサービスを行うことができる。
（２）作業台だけでなくミシン作業台を備えているので、ミシンの載置場所が決まり、ミシンを動かすことなく常にミシンを使用することができ、車内での作業性に優れる。
（３）ミシン作業台や作業台が車両の車内に設置固定されているので、車両の移動時にミシン作業台や作業台が移動したり転倒したりするのを防止でき、安全性に優れるとともに、ミシン作業台や作業台の設置安定性に優れる。
（４）作業椅子に座ったままミシン作業台や作業台の方向へ向きを変えることができるので、作業に応じて立ち上がり車内を移動することがなく、作業性に優れるとともに、１つの作業椅子でミシン作業台と作業台の２つの作業台での作業ができ、各作業台ごとに作業椅子を要さず、限られた車内が狭くならず、車内を有効的に使用することができる。
（５）作業椅子を車内に固定しているので、車両の移動時に作業椅子が転倒したり移動したりするのを防止でき安全性に優れる。
（６）ミシン作業台と作業台が、対向する位置又は作業座部を介して略直角に設置固定されているので、作業者が作業に応じて立ち上がって車内を移動することなく、作業座部に座ったまま身体の向きを変えるだけで、ミシン作業台での縫製作業や作業台での各種作業の両方を行うことができ、作業性に優れる。
（７）伸縮自在な天板を有した作業台を用いた場合、作業に応じて作業台の天板の広さを容易に変更することができ、作業台の利便性や使用性に優れ、車内での作業性を向上できるとともに、作業台の広さを要さない場合は、車内で作業台が占める広さを狭くすることができ、限られた車内を有効に利用することができる。
（８）作業台の天板にアイロン作業部を形成した場合、アイロン台等を別に用意することなく作業台をアイロン作業台として使用することができ、車内を有効的に使用することができるとともに、アイロン作業時にアイロン台等の設置準備を要さずアイロン作業の作業性に優れる。
（９）特に、作業台の天板の裏面側にアイロン作業部を形成した場合、作業台の天板の裏面を有効利用することができ、車内を有効に使用することができる。
【００３５】
　請求項４に記載の発明によれば、
（１）ミシン作業台及び／又は作業台の下方に設置された道具収納部を備えているので、各作業台の下方のスペースを有効利用することができ、限られた車内にアイロン道具や裁縫道具の多くの道具を収納することができ収納力に優れる。
（２）作業をする各作業台の下方に道具収納部を有しているので、作業時に必要な道具をすぐに取り出すことができ作業性に優れ、使用性や利便性に優れる。
【００３６】
　請求項５に記載の発明によれば、
（１）製品収納部を備えた場合、直し作業やリフォーム作業，仕立作業，製作作業等の終わった衣類や小物製品等の製品を製品収納部に収納することができ、製品を汚したり、製品に皺を付けたりすることなく保管することができ、製品の保管管理性に優れる。
（２）預かり品収納部を備えた場合、預かった品物を預かり品収納部に収納することができ、預かり品の紛失等を防止することができるとともに、預かり品収納部を見るだけで預かり品の有無や量を確認することができ、管理性に優れる。
（３）製品収納部と預かり品収納部を両方を備えた場合、製品と預かり品を混同することなく収納でき作業性を向上できるとともに製品や預かり品の管理性に優れる。
（４）裁縫用の人体を備えた場合、リフォーム作業や仕立作業等の作業性を向上でき、車両内での作業性に優れる。
【００３７】
　請求項６に記載の発明によれば、
（１）製図道具収納部や生地収納部，事務用品収納部の各収納部を備えることにより、製図道具や生地，事務用品を各々決められた場所に収納することができ、車内が煩雑になるのを防止できるとともに車内での作業性に優れる。
【発明を実施するための最良の形態】
【００３８】
　　（実施の形態１）
　本発明の実施の形態１における裁縫車について、以下図面を用いて説明する。
　尚、本発明は本実施の形態１に限定されるものではなく、車両の大小，車両の形状，後部空間の広狭，設備の多少に応じて、各設備の設置数や設備の形態等は変化するものである。
【００３９】
　図１は実施の形態１における裁縫車内を示す平面図である。
　図中、１は本発明の実施の形態１における裁縫車、２はワゴン車等の車両、２ａは車両２の後部空間、２ｂは車両２の側部の後部空間２ａに形成されスライド式に開閉される車両扉、２ｃは車両２の運転席部、３は車両扉２ｂから車両２の後部空間２ａに出入りする昇降階段、３ａは昇降階段３の側部に立設された手すり、４は車両２の後部空間２ａの運転席部２ｃ側に設置固定されたミシン作業台、５はミシン作業台４に載置されたミシン、６は後部空間２ａのミシン作業台４と対向する位置に設置固定された天板が伸縮自在な作業台、７はミシン作業台４と作業台６の間に配設固定された回動自在な作業椅子、８は後部空間２ａの運転席部２ｃ側で車両扉２ｂ側の角部の床下に形成された床下収納部、９は後部空間２ａの上方に長さ方向が後部空間２ａの長さ方向（車両２の長さ方向）と略平行に配設固定された棒状のハンガー掛けからなる製品収納部、１０は後部空間２ａの後部側（車両２の後部側）に設置固定された預かり品収納部、１１は後部空間２ａの運転席部２ｃ側でミシン作業台４の側部に設置固定された製図道具収納部、１２は後部空間２ａの長さ方向の側部で製品収納部９の側部に設置固定された生地収納部、１３は後部空間２ａの天井から吊設及び／又は後部空間２ａの運転席部２ｃ側の壁面に固定されミシン作業台４の上方に位置した事務用品収納部、１４は後部空間２ａの車両扉２ｂ側の側部に配設固定された複数の椅子兼収納箱、１５は後部空間２ａの後部側（車両２の後部側）で生地収納部１２側の角部に設置された試着室、１６は預かり品収納部１０と試着室１５との間に配設され後部空間２ａの床に螺子等で着脱自在に固定された裁縫用の人体である。
　ここで、図中の仮想線は、作業台６の天板を広げた状態を示す。
　尚、実施の形態１では、後部空間２ａの天井に蛍光灯（図示せず）が取り付けられている。
【００４０】
　次に、車両２の後部空間２ａ内に設置固定した各作業台や各収納部等について、以下図面を用いて説明する。
　まず、実施の形態１における裁縫車１のミシン作業台部分について、以下図面を用いて説明する。
　図２は実施の形態１における裁縫車のミシン作業台部分を示す要部正面図である。
　図２において、２ｄは車両２の後部空間２ａの床、２ｅは車両２の後部空間２ａの天井、１７はミシン作業台４の下方に設置固定され種々の深さの引き出しからなる引き出し式の道具収納部である。
　ここで、ミシン作業台４及び道具収納部１７は螺子等で床２ｄに固定され、事務用品収納部１３は天井２ｅに吊設又は後部空間２ａの運転席部２ｃ側の壁面に螺子等で固定されている。また、ミシン５をミシン作業台４に螺子等で固定、又は、ミシン作業台４にミシン５が嵌合できる凹部を形成しミシン５を凹部に嵌合固定、してもよい。これにより、車両２の移動中にミシン５がミシン作業台４上で移動したり、ミシン作業台４から落下したりするのを防止でき安全性を向上できる。更に、道具収納部１７の引き出しとしては、ロック機能付きの引き出しにしてもよい。これにより、車両２の移動時に引き出しが自然に開くのを防止でき安全性を向上できる。
　尚、実施の形態１では、道具収納部１７には鋏や糸，針，メジャー，チョークペンシル，ボタン，スナップ，ファスナー等の裁縫道具が収納される。また、事務用品収納部１３には、伝票や鉛筆，電卓等が収納される。
【００４１】
　次に、実施の形態１における裁縫車１の作業台部分について、以下図面を用いて説明する。
　図３は実施の形態１における裁縫車の作業台部分を示す要部斜視図である。
　図３において、１８は作業台６の下方に設置固定され種々の大きさの引き出し１８ａや前面が開口した棚部１８ｂからなる道具収納部、１８ｃは棚部１８ｂの開口側の下端部に立設された止め板であり、車両２の移動中等に棚部１８ｂから、棚部１８ｂに収納したアイロン等が滑り落ちるのを防止している。尚、止め板１８ｃを形成する代わりに、棚部１８ｂにアイロンと同型に窪ませたアイロン嵌合部を形成し、アイロン嵌合部にアイロンを嵌合して収納してもよい。
　ここで、道具収納部１８は螺子等で床２ｄに固定されている。また、引き出し１８ａとしては、ロック機能付きの引き出しにしてもよい。これにより、車両２の移動時に引き出し１８ａが自然に開くのを防止でき安全性を向上できる。更に、特に、棚部１８ｂにアイロンを収納する場合、棚部１８ｂの底面に断熱材を配設するのが好ましい。これにより、使用後の熱いアイロンを棚部１８ｂに収納することができるとともに、アイロンの熱により棚部１８ｂが損傷するのを防止できる。
　尚、実施の形態１では、道具収納部１８には裁縫道具の他、アイロンや霧吹き，仕上げまんじゅう等のアイロン道具が収納される。また、特に、上段の大きな引き出し１８ａにはハトロン紙等の製図用紙を収納してもよい。
【００４２】
　次に、作業台６について、以下図３，図４を用いて説明する。
　図３において、６ａは螺子等で床２ｄに固定された作業台６の一辺側の脚部、６ｂは床２ｄと水平方向にスライド自在に形成され脚部６ａと対向する作業台６の他辺側の脚部、６ｃは脚部６ａ，６ｂの上部に配設支持された天板、６ｄは天板６ｃの脚部６ｂ側の側部に蝶番１９で天板６ｃの表面側に折り畳み自在に装着された折り畳み天板、２０は折り畳み天板６ｄの裏面側（折り畳み天板６ｄを天板６ｃ側へ折り畳んだ際に上にくる面）にアイロンマットを貼着して形成されたアイロン作業部、２１は脚部６ｂの下端部に装着されたラッチ等からなる止め金具、２１ａは床２ｄに固定され作業台６の脚部６ｂに装着された止め金具２１が係止される係止具である。
　ここで、脚部６ａは螺子等で床２ｄに固定され、脚部６ｂは止め金具２１を係止具２１ａに係止して床２ｄに固定されている。
　尚、アイロン作業部２０としては、アイロンマットを着脱自在に貼着して形成してもよく、また、アイロン作業部２０を形成する代わりに、アイロンマットを道具収納部１８に収納しておき、使用時にアイロンマットを作業台６上に敷き、作業台６上でアイロン作業をしてもよい。
【００４３】
　図４は実施の形態１における裁縫車の作業台を広げた状態を示す斜視図である。
　図４において、２１ｂは床２ｄに固定され作業台６の脚部６ｂに装着された止め金具２１が係止される係止具、２２は作業台６の側部で一端が脚部６ａに略直角に連設され天板６ｃを支持した本体側部、２３は一端が脚部６ｂに略直角に連設され本体側部２２にスライド自在に形成されたスライド部、２３ａはスライド部２３に凹状に形成され本体側部２２のスライド部２３側に形成された突起部（図示せず）が摺動自在に嵌合されたスライドレールである。尚、図中、矢印Ａ，Ｂは作業台６の脚部６ｂの移動方向を示し、矢印Ｃ，Ｄは作業台６の折り畳み天板６ｄの回動方向を示す。
　ここで、係止具２１ｂは、脚部６ｂを水平移動した際に脚部６ｂの止め金具２１が係止できる位置に形成される。また、係止具２１ａ，２１ｂとしては、床２ｄに回動自在に固定するのが好ましい。これにより、係止具２１ａ，２１ｂに止め金具２１を係止しない場合、係止具２１ａ，２１ｂを床２ｄ側へ倒しておくことができ、係止具２１ａ，２１ｂが床２ｄ面から突出し係止具２１ａ，２１ｂでつまづいたりするのを防止できる。
【００４４】
　次に、作業台６の伸縮について、以下説明する。
　作業台６の折り畳み天板６ｄを広げて作業台６を広げる場合、まず、作業台６の脚部６ｂの止め金具２１を係止具２１ａから外し、次いで、作業台６の脚部６ｂを矢印Ａの方向へ水平移動する。ここで、脚部６ｂは本体側部２２の突起部をスライド部２３のスライドレール２３ａに摺動させながら矢印Ａ方向に移動される。
　次に、脚部６ｂに装着された止め金具２１を係止具２１ｂに係止し、脚部６ｂを床２ｄに固定する。次いで、作業台６の折り畳み天板６ｄを、蝶番１９側を中心に矢印Ｃ方向へ回動させ、図４に示すように、折り畳み天板６ｄを脚部６ｂとスライド部２３で支持する。
【００４５】
　作業台６の折り畳み天板６ｄを折り畳む場合、折り畳み天板６ｄを、蝶番１９側を中心に矢印Ｄ方向へ回動させ、図３に示すように、折り畳み天板６ｄの表面（折り畳み天板６ｄを広げた際に上を向いている面）側を天板６ｃの表面に当接させる。
　次に、止め金具２１を係止具２１ｂから外し、脚部６ｂを矢印Ｂの方向へ水平移動させ、次いで、止め金具２１を係止具２１ａに係止し、脚部６ｂを床２ｄに固定する。
　ここで、実施の形態１では、作業台６でアイロン作業を行う場合、折り畳み天板６ｄを折り畳み、図３に示すように、アイロン作業部２０を作業台６の上面側にする。
【００４６】
　尚、実施の形態１では、作業台６として、天板６ｃの表面側に折り畳み自在な折り畳み天板６ｄを有した折り畳み式作業台を用いたが、一辺側が天板に回動自在に延設され未使用時には作業台の側部に垂設されている延長用天板を有したバタフライ式作業台、着脱自在に配設される補助用天板を有した伸縮式作業台等、を用いてもよい。また、実施の形態１では、作業台６の脚部６ｂをスライド自在に形成したが、脚部６ｂをスライド自在に形成する代わりに、折り畳み天板６ｄを支持するスライド自在なスライド脚部やスライド支持部を備えてもよい。これにより、車両２の大小や後部空間２ａの広狭，設備の多少に応じて作業台６を適宜選択することができる。
【００４７】
　次に、作業椅子７について、以下図面を用いて説明する。
　図５は実施の形態１における裁縫車の作業椅子の側面図である。
　図５において、２４は円筒状に形成され内部に収納部２４ａを有した作業椅子７の作業椅子本体、２４ｂは作業椅子本体２４の上端部に位置し蝶番（図示せず）で開閉自在に作業椅子本体２４に装着された収納部２４ａの蓋部、２５は蓋部２４ｂの上面の略中央に立設された支持軸、２６は蓋部２４ｂの上方に位置し支持軸２５に回動自在に軸支された座部である。尚、図中、矢印Ｅ，Ｆは蓋部２４ｂの開閉方向を示し、また、図中の仮想線は蓋部２４ｂを矢印Ｅ方向へ移動させて収納部２４ａを開けた状態を示す。
　ここで、作業椅子本体２４は床２ｄに螺子等で固定されている。尚、収納部２４ａには裁縫道具等が収納される。また、作業椅子７に座ってミシン作業台４で縫製作業を行う場合や作業台６で作業を行う場合、作業椅子７に座ったまま、支持軸２５を中心に座部２６を回動させてミシン作業台４や作業台６へ方向を変える。
【００４８】
　次に、床下収納部８について、以下図面を用いて説明する。
　図６は実施の形態１における裁縫車の床下収納部を示す要部断面斜視図である。
　図６において、８ａは床２ｄの下部に形成された床下収納部本体、８ｂは床下収納部本体８ａに連通し床２ｄに開口された上部開口部、８ｃは上部開口部８ｂに着脱自在に嵌合された上部蓋、８ｄは上部蓋８ｃの持ち手、８ｅは床下収納部本体８ａの側部に形成された網目状の通気口、８ｆは床下収納部本体８ａの車両２の車両扉２ｂ側の側面に開閉自在に形成された開閉部である。
　ここで、床下収納部８には発電機（図示せず）や電気コード（図示せず）等が収納される。尚、床下収納部本体８ａ内に仕切り壁を形成してもよい。
また、車両２のバッテリーや車外からミシンやアイロン等の電源をとることができる場合は、裁縫車１に発電機を備えなくてもよい。
【００４９】
　ここで、床下収納部としては、車両外部との通気口を形成するのが好ましい。これにより、床下収納部に収納した発電機の排気ガスが床下収納部内にたまるのを防止できる。また、床下収納部に車両外部から開閉できる開閉部を形成するのが好ましい。これにより、車両外部から給油等の発電機のメンテナンスができ、発電機の取扱性を向上できる。
　また、床下収納部内に、発電機を収納する部分と電気コード等が収納される部分に分割する仕切り壁を形成してもよい。更に、車両の床を床下収納部の上部蓋とし、開閉自在に形成してもよい。これにより、床下収納部に収納した電気コード等の取り出しが車内から容易にでき、使用性を向上できる。
【００５０】
　発電機を設置した場合、外部から電源を取る必要がなく、外部から電源が取れない場所でも車内で衣類の直し作業やリフォーム作業，仕立作業，製作作業等ができ、任意の場所へ移動して各種作業のサービスを行うことができる。
　床下収納部を備えた場合、限られた車内を更に有効的に使用することができ、また、発電機を床下収納部に収納することにより、発電機の騒音が車内に響くのを防止でき作業環境性に優れる。
【００５１】
　次に、製品収納部９について、以下図面を用いて説明する。
　図７は実施の形態１における裁縫車の製品収納部を示す要部断面斜視図である。
　図７において、９ａは棒状の製品収納部本体、９ｂ，９ｃは製品収納部本体９ａの端部、２７は一端が車両２の後部空間２ａの天井２ｅに固定され他端が製品収納部本体９ａの端部９ｃ側に接続された吊設部材である。
　ここで、実施の形態１では、端部９ｂを後部空間２ａの運転席部２ｃ側の壁面に螺子等で固定し、端部９ｃ側を吊設部材２７で天井２ｅに吊設して製品収納部本体９ａを後部空間２ａに固定している。また、端部９ｃは製品収納部本体９ａの外径より大きく形成されている。これにより、棒状の製品収納部本体９ａにハンガーを掛けた際、端部９ｃからハンガーが落下するのを防止できる。
　尚、棒状の製品収納部本体９ａの下方に引き出し式や棚式の製品収納部を配設固定してもよい。また、棒状の製品収納部本体９ａの代わりに、格子パネル等からなる格子状のハンガー掛けを天井２ｅに吊設してもよい。更に、製品収納部９の周囲に開閉自在なカーテン等を配設してもよい。これにより、製品収納部本体９ａに掛けた製品の目隠しができるとともに、製品が埃等で汚れるのを防止できる。
【００５２】
　次に、預かり品収納部１０について、以下図面を用いて説明する。
　図８は実施の形態１における裁縫車の預かり品収納部を示す斜視図である。
　図８において、１０ａは床２ｄに螺子等で固定された預かり品収納部本体、１０ｂは複数段に区画された棚部、１０ｃは棚部１０ｂの前面に配設され左右方向に開閉自在な開閉扉である。
　尚、預かり品収納部本体１０ａの上方に製品収納部９と同様の棒状のハンガー掛けを配設固定してもよく、また、預かり品収納部本体１０ａの上面に小物製品等を陳列し、陳列棚として使用してもよい。
【００５３】
　次に、製図道具収納部１１について、以下図面を用いて説明する。
　図９は実施の形態１における裁縫車の製図道具収納部を示す斜視図である。
　図９において、１１ａは床２ｄに螺子等で固定された製図道具収納部本体、１１ｂは製図道具収納部本体１１ａの上端の一辺側に蝶番２８で開閉自在に装着された天板、１１ｃは天板１１ｂを開閉する持ち手部、１１ｄは天板１１ｂで開閉される上部収納部、１１ｅは天板１１ｂで開閉され仕切り板２９で複数の室に仕切られた筒状部、１１ｆは製図道具収納部本体１１ａに大小種々の大きさで形成された引き出しである。尚、引出し１１ｆはロック機能付きの引出しとするか、その正面に施錠式の観音開きの扉を設けてもよい。車両２の移動時に引出し１１ｆが摺動するのを防止し安全性を高めることができる。
　また、図中、矢印Ｇ，Ｈは天板１１ｂの開閉方向を示す。
　ここで、製図道具収納部１１には、製図用紙や鋏，鉛筆，物差し等が収納される。また、筒状部１１ｅには製図用紙等が立てて収納される。
【００５４】
　次に、生地収納部１２について、以下図面を用いて説明する。
　図１０は実施の形態１における裁縫車の生地収納部を示す斜視図である。
　図１０において、１２ａは床２ｄに螺子等で固定された生地収納部本体、１２ｂは生地収納部本体１２ａの上端の一辺側に蝶番２８で開閉自在に装着された天板、１２ｃは天板１２ｂを開閉する持ち手部、１２ｄは天板１２ｂで開閉され仕切り板２９で複数の室に仕切られた筒状収納部である。
　ここで、生地収納部１２の筒状収納部１２ｄには、生地が立てて収納される。
　尚、筒状収納部１２ｄだけでなく、製図道具収納部１１と同様に、引き出し部を形成してもよい。
【００５５】
　次に、椅子兼収納箱１４について、以下図面を用いて説明する。
　図１１は実施の形態１における裁縫車の椅子兼収納箱を示す斜視図である。
　図１１において、１４ａは上部が開口された椅子兼収納箱１４の収納部、１４ｂは収納部１４ａの上端部の一辺側に蝶番２８で開閉自在に装着された座部、３０は収納部１４ａの下端部に形成され螺子部３０ａで収納部１４ａを床２ｄに螺着固定する固定部である。
　ここで、座部１４ｂは収納部１４ａの蓋部としても使用される。尚、座部１４ｂを収納部１４ａに蝶番２８で開閉自在に装着する代わりに、収納部１４ａの上端部に着脱自在に配設してもよい。また、収納部１４ａとしては、上端部が開口された箱状のものの他、引き出し式に形成されたものを用いてもよい。
【００５６】
　ここで、椅子兼収納箱は、螺子等により車両の床や内壁面に固定するのが好ましい。これにより、車両の移動時に椅子兼収納箱が転倒したり移動したりするのを防止でき、安全性を向上できる。また、椅子兼収納箱としては、座部を収納部の蓋部とし収納部の上面に着脱自在又は開閉自在に配設したものや、収納部を引き出し式に形成したもの等が用いられる。
【００５７】
　椅子兼収納箱を備えることにより、利用者に椅子兼収納箱に座って待ってもらうことができるとともに、椅子兼収納箱の収納部に各種備品等を収納することができ、車内の収納場所を増やすことができ車内の利便性を向上できる。
【００５８】
　次に、試着室１５について、以下図面を用いて説明する。
　図１２は実施の形態１における裁縫車の試着室を示す斜視図である。
　図１２において、３１は車両２の後部空間２ａの略直角な側壁面間に両端が螺子等で固定された円弧状の吊り下げ部材、３２は吊り下げ部材３１に摺動自在に外嵌された摺動部材、３３は摺動部材３２に接続されたカーテンである。
　ここで、試着室１５は、吊り下げ部材３１に摺動部材３２を介して吊り下げられたカーテン３３で後部空間２ａの一区画を区切ることにより形成される。尚、試着室１５としては、図１２に示すように、１／４円状に形成されるものの他、半円状や円形状，四角形状等の多角形状等任意の形状のものが用いられる。
【００５９】
　試着室としては、車両の天井から左右方向又は上下方向に開閉自在なカーテンを吊設して車内の一部を区画したもの等が用いられる。尚、試着室内に鏡を配設固定してもよい。
【００６０】
　試着室を備えることにより、利用者の採寸や製品の試着等をその場で行うことができ、各種作業性を向上できるとともに利便性に優れる。
【００６１】
　以上のように実施の形態１における裁縫車は構成されているので、以下の作用を有する。
（１）車両の後部空間内にミシン作業台や作業台，作業椅子，各種の収納部等を備えているので、車両で任意の場所へ移動して車内で衣類の直し作業やリフォーム作業、仕立作業、製作作業ができる。
（２）ミシン作業台と作業台が対向する位置に設置固定され、回動自在な作業椅子がミシン作業台と作業台の間に配設固定されているので、作業椅子に座ったまま向きを変えることができ、ミシン作業台での縫製作業や作業台での各種作業を作業椅子に座ったまま行うことができる。
（３）作業椅子に座ったままミシン作業台と作業台の両方に向きを変えることができるので、作業に応じて車内（後部空間内）を歩き回ることなく作業性を向上できる。
（４）１つの作業椅子をミシン作業台と作業台の両方で使用できるので、各作業台ごとに作業椅子を要さず、限られた後部空間内を有効的に使用することができる。
（５）作業椅子の座部の下部に収納部を有しているので、作業椅子を収納部としても使用することができ作業椅子の利便性を向上できるとともに、限られた後部空間内を有効的に使用することができる。
（６）ミシン作業台にミシンを載置しているので、ミシンの載置場所が決まり、ミシンを動かすことなく常にミシンを使用することができるとともに、作業台を広く使用することができ作業性を向上できる。
（７）作業台が、スライド自在な脚部と天板の表面側に折り畳み自在な折り畳み天板を有し、伸縮自在に形成されているので、作業に応じて作業台の天板の広さを容易に変更することができ利便性や作業性を向上できるとともに、後部空間内を有効的に使用することができる。
（８）スライド自在な脚部の下端部にラッチ等の止め金具を備えているとともに、後部空間の床に止め金具が係止される係止具を有しているので、止め金具を係止具に係止することにより、スライド自在な脚部を容易に床に固定することができ取扱性に優れるとともに、車両の移動中等にスライド自在な脚部がスライドするのを防止でき安全性を向上できる。
（９）作業台の本体側部のスライド部側に形成された突起部と、スライド自在な脚部に連設されたスライド部に形成された凹状のスライドレールとを有し、突起部がスライドレールに摺動自在に嵌合されているので、スライド自在な脚部をスムーズに水平移動させることができ、作業台を容易に伸縮させることができ取扱性に優れる。
（１０）作業台の折り畳み天板の裏面側にアイロン作業部を有しているので、折り畳み天板を天板側へ折り畳むだけで作業台をアイロン作業台として使用することができ、アイロン作業の作業性を向上できるとともに、折り畳み天板の裏面側を有効利用することができる。
（１１）ミシン作業台や作業台の下方に道具収納部を設置固定しているので、各作業台の下方のスペースを有効利用することができ、限られた後部空間内にアイロン道具や裁縫道具等の多くの道具を収納することができる。
（１２）各作業を行う各作業台の下方に道具収納部を有しているので、作業時に必要な道具をすぐに取り出すことができ、使用性や利便性に優れる。
（１３）作業台の下方の道具収納部に棚部を有しているので、特に、アイロンを収納した場合、容易に出し入れすることができ使用性を向上でき、また、棚部の開口側の下端部に止め板が立設されているので、車両の移動中に棚部に収納したアイロン等が棚部から落下するのを防止でき安全性に優れる。
（１４）後部空間に床下収納部を備えているので、限られた後部空間を有効的に使用することができ、また、床下収納部に発電機を収納することにより、発電機の騒音が後部空間内に響くのを防止でき、作業環境を向上できる。
（１５）床下収納部に発電機を収納しているので、外部から電源をとることができない場所でも、後部空間内で衣類の直し作業やリフォーム作業、仕立作業、製作作業ができ、任意の場所へ移動して各種作業を行うことができ使用性に優れる。
（１６）床下収納部が通気口を備えているので、床下収納部内に収納した発電機の排気ガスが床下収納部内に充満するのを防止でき、また、車両外部から開閉できる開閉部を備えているので、車両外部から給油等の発電機のメンテナンスができ、使用性に優れる。
（１７）後部空間の上方に配設固定された棒状の製品収納部を備えているので、直し作業やリフォーム作業，仕立作業，製作作業等の終わった衣類等の製品を製品収納部にハンガー等で掛けて収納することができ、製品に皺等を付けることなく保管することができ、製品管理性を向上できる。
（１８）預かり品収納部を備えているので、預かった品物を預かり品収納部に収納することができ、預かり品の紛失等を防止でき管理性を向上できるとともに、預かり品収納部を見るだけで預かり品の有無や量を確認することができる。
（１９）製品収納部と預かり品収納部をそれぞれ備えているので、製品と預かり品の収納場所が異なり、製品と預かり品を混同することなく作業性や管理性を向上できる。
（２０）製図道具収納部，生地収納部，事務用品収納部を各々備えているので、製図道具や生地，事務用品を各々決められた場所に収納することができ、後部空間内が煩雑になるのを防止でき後部空間内での作業性を向上できる。
（２１）製図道具収納部や生地収納部に筒状に形成された筒状部や筒状収納部を備えているので、製図用紙や生地を立てて収納することができ、収納量を増加させることができ収納力を向上できる。
（２２）事務用品収納部がミシン作業台の上方に配設固定されているので、ミシン作業台の上方の空間を有効利用することができる。
（２３）椅子兼収納箱を備えているので、利用者に椅子兼収納箱に座って待ってもらうことができるとともに、椅子兼収納箱の収納部に各種備品等を収納することができ、限られた後部空間内における収納スペースを増やすことができ、後部空間を有効的に使用することができる。
（２４）人体や試着室を備えているので、デザインの良し悪しの判断や、利用者の採寸や製品の試着をその場で行うことができ、利便性に優れる。
（２５）各作業台や各椅子，各収納部等が全て後部空間に固定されているので、車両の移動中に各作業台や各椅子，各収納部等が移動することなく、安全性に優れる。
（２６）昇降階段の側部に手すりを備えているので、昇降階段の昇降時の安全性を向上できる。
（２７）後部空間に着脱自在に固定された裁縫用の人体を備えているので、リフォーム作業や仕立作業等の作業性を向上できる。
【図面の簡単な説明】
【００６２】
【図１】実施の形態１における裁縫車内を示す平面図
【図２】実施の形態１における裁縫車のミシン作業台部分を示す要部正面図
【図３】実施の形態１における裁縫車の作業台部分を示す要部斜視図
【図４】実施の形態１における裁縫車の作業台を広げた状態を示す斜視図
【図５】実施の形態１における裁縫車の作業椅子の側面図
【図６】実施の形態１における裁縫車の床下収納部を示す要部断面斜視図
【図７】実施の形態１における裁縫車の製品収納部を示す要部断面斜視図
【図８】実施の形態１における裁縫車の預かり品収納部を示す斜視図
【図９】実施の形態１における裁縫車の製図道具収納部を示す斜視図
【図１０】実施の形態１における裁縫車の生地収納部を示す斜視図
【図１１】実施の形態１における裁縫車の椅子兼収納箱を示す斜視図
【図１２】実施の形態１における裁縫車の試着室を示す斜視図
【符号の説明】
【００６３】
　１　裁縫車
　２　車両
　２ａ　後部空間
　２ｂ　車両扉
　２ｃ　運転席部
　２ｄ　床
　２ｅ　天井
　３　昇降階段
　３ａ　手すり
　４　ミシン作業台
　５　ミシン
　６　作業台
　６ａ，６ｂ　脚部
　６ｃ　天板
　６ｄ　折り畳み天板
　７　作業椅子
　８　床下収納部
　８ａ　床下収納部本体
　８ｂ　上部開口部
　８ｃ　上部蓋
　８ｄ　持ち手
　８ｅ　通気口
　８ｆ　開閉部
　９　製品収納部
　９ａ　製品収納部本体
　９ｂ，９ｃ　端部
　１０　預かり品収納部
　１０ａ　預かり品収納部本体
　１０ｂ　棚部
　１０ｃ　開閉扉
　１１　製図道具収納部
　１１ａ　製図道具収納部本体
　１１ｂ　天板
　１１ｃ　持ち手部
　１１ｄ　上部収納部
　１１ｅ　筒状部
　１１ｆ　引き出し
　１２　生地収納部
　１２ａ　生地収納部本体
　１２ｂ　天板
　１２ｃ　持ち手部
　１２ｄ　筒状収納部
　１３　事務用品収納部
　１４　椅子兼収納箱
　１４ａ　収納部
　１４ｂ　座部
　１５　試着室
　１６　人体
　１７，１８　道具収納部
　１８ａ　引き出し
　１８ｂ　棚部
　１８ｃ　止め板
　１９　蝶番
　２０　アイロン作業部
　２１　止め金具
　２１ａ，２１ｂ　係止具
　２２　本体側部
　２３　スライド部
　２３ａ　スライドレール
　２４　作業椅子本体
　２４ａ　収納部
　２４ｂ　蓋部
　２５　支持軸
　２６　座部
　２７　吊設部材
　２８　蝶番
　２９　仕切り板
　３０　固定部
　３０ａ　螺子部
　３１　吊り下げ部材
　３２　摺動部材
　３３　カーテン
【図１】
2004001766.tif 000003
【図２】
2004001766.tif 000004
【図３】
2004001766.tif 000005
【図４】
2004001766.tif 000006
【図５】
2004001766.tif 000007
【図６】
2004001766.tif 000008
【図７】
2004001766.tif 000009
【図８】
2004001766.tif 000010
【図９】
2004001766.tif 000011
【図１０】
2004001766.tif 000012
【図１１】
2004001766.tif 000013
【図１２】
2004001766.tif 000014